(57)【要約】【課題】不注意による誤抜去の防止に対して余分なコストや作業を必要とせず、確実に嵌合不良を防止することができる光コネクタ用アダプタを提供する。【解決手段】ＳＣ形光コネクタプラグ９を挿抜する方向の両側に、開口部６ａ，６ｂと前記開口部６ａ，６ｂから挿入された前記ＳＣ形光コネクタプラグ９を嵌合する嵌合部７ａ，７ｂとをそれぞれ有するハウジング２を備え、前記開口部６ａから挿入された前記ＳＣ形光コネクタプラグ９の外面に設けられた突起１０と係合し、弾性変形して前記突起１０の後端１０ａを係止する爪部３が、前記両側の嵌合部７ａ，７ｂのうち少なくとも一方の嵌合部７ａに設けられている、光コネクタ用アダプタ１。【選択図】図３
2015022222.tif 000002
【特許請求の範囲】
【請求項１】
ＳＣ形光コネクタプラグを挿抜する方向の両側に、開口部と前記開口部から挿入された前記ＳＣ形光コネクタプラグを嵌合する嵌合部とをそれぞれ有するハウジングを備え、
前記開口部から挿入された前記ＳＣ形光コネクタプラグの外面に設けられた突起と係合し、弾性変形して前記突起の後端を係止する爪部が、前記両側の嵌合部のうち少なくとも一方の嵌合部に設けられている、光コネクタ用アダプタ。
【請求項２】
前記爪部は、前記両側の嵌合部にそれぞれ設けられている、請求項１に記載の光コネクタ用アダプタ。
【発明の詳細な説明】
【技術分野】
【０００１】
本発明は、光コネクタ用アダプタに関する。
【背景技術】
【０００２】
特許文献１には、ＳＣ形光コネクタプラグに装着する光コネクタ誤脱防止具が開示されている。特許文献２には、高密度実装用ＳＣ２形光コネクタプラグに装着する光コネクタ誤脱防止具が開示されている。特許文献３には、光コネクタプラグに装着する光コネクタ係止具が開示されている。特許文献４には、光コネクタ用アダプタの本体とは別体構成の連結子により半挿状態か否かを視認確認する構成が開示されている。
【先行技術文献】
【特許文献】
【０００３】
【特許文献１】特開２００４−２２６５６６号公報
【特許文献２】特開２００９−０４７９９５号公報
【特許文献３】特開平０４−０８１１０６号公報
【特許文献４】特開２０１２−０８３５１９号公報
【発明の概要】
【発明が解決しようとする課題】
【０００４】
光コネクタ用アダプタとして広範に使用されているＳＣ形コネクタ（ＳＣ：Ｓｉｎｇｌｅ  ｆｉｂｅｒ  Ｃｏｕｐｌｉｎｇ）がある。ＳＣ形コネクタは、着脱操作性に優れ、コネクタ本体を引くと簡単に抜けるようになっている。このため、不注意にコネクタ本体を引っ張ると、抜けてしまう可能性がある。これを防ぐために、例えば上記の特許文献１〜３に開示されているような、コネクタ本体を直接持たせないためのカバー型の誤抜去防止部品がある。
また、嵌合不良防止のため押し込み確認の目印のためのマーク、あるいは、上記特許文献４に開示された、嵌合が不完全な半挿し状態を視認表示する機構などがある。
しかしながら、上記のような不注意による誤抜去の防止は、ＳＣ形コネクタとは別部品の誤抜去防止部品を用意する必要があり、余分なコストがかかる。さらに、誤抜去防止部品をＳＣ形コネクタに取り付ける作業も必要である。また、上記マークや半挿し状態を視認表示する機構は、嵌合不良を確認するための手段であり、嵌合不良を防止する手段ではない。
【０００５】
そこで、本発明の目的は、不注意による誤抜去の防止に対して余分なコストや作業を必要とせず、確実に嵌合不良を防止することができる光コネクタ用アダプタを提供することにある。
【課題を解決するための手段】
【０００６】
上記課題を解決することのできる本発明の光コネクタ用アダプタは、ＳＣ形光コネクタプラグを挿抜する方向の両側に、開口部と前記開口部から挿入された前記ＳＣ形光コネクタプラグを嵌合する嵌合部とをそれぞれ有するハウジングを備え、
前記開口部から挿入された前記ＳＣ形光コネクタプラグの外面に設けられた突起と係合し、弾性変形して前記突起の後端を係止する爪部が、前記両側の嵌合部のうち少なくとも一方の嵌合部に設けられている。
【発明の効果】
【０００７】
本発明によれば、不注意による誤抜去の防止に対して余分なコストや作業を必要とせず、確実に嵌合不良を防止することができる。
【図面の簡単な説明】
【０００８】
【図１】本発明の第１の実施形態に係る光コネクタ用アダプタの六面図である。
【図２】光コネクタプラグの平面図である。
【図３】図１の光コネクタ用アダプタに光コネクタプラグを係合した状態の説明図である。
【図４】本発明の第２の実施形態に係る光コネクタ用アダプタの六面図である。
【図５】図４の光コネクタ用アダプタに光コネクタプラグを係合した状態の説明図である。
【発明を実施するための形態】
【０００９】
［本願発明の実施形態の説明］
本願発明の実施形態に係る光コネクタ用アダプタは、
（１）  ＳＣ形光コネクタプラグを挿抜する方向の両側に、開口部と前記開口部から挿入された前記ＳＣ形光コネクタプラグを嵌合する嵌合部とをそれぞれ有するハウジングを備え、
前記開口部から挿入された前記ＳＣ形光コネクタプラグの外面に設けられた突起と係合し、弾性変形して前記突起の後端を係止する爪部が、前記両側の嵌合部のうち少なくとも一方の嵌合部に設けられている。
爪部が設けられている嵌合部に光コネクタプラグを挿入した場合、突起の後端が爪部で係止される。これにより、光コネクタプラグが不注意で引っ張られても簡単に抜けることはない。すなわち、別部材を用いることなく不注意による誤抜去を防止できるので、誤抜去防止のために余分なコストや別部材の装着作業などを必要としない。また、光コネクタアダプタと光コネクタプラグとを確実に嵌合状態にすることができ、嵌合不良を防止することができる。
【００１０】
（２）  前記爪部は、前記両側の嵌合部にそれぞれ設けられている。
両側の嵌合部にそれぞれ光コネクタプラグを挿入した場合、それぞれの突起の後端がそれぞれの爪部で係止される。これにより、光コネクタアダプタは、両側の嵌合部にそれぞれ光コネクタプラグを嵌合して光コネクタ用プラグ同士を接続する用途に対しても、光コネクタプラグに対して別部材を用いることなく、不注意による誤抜去を防止できる。また、光コネクタアダプタと両側に嵌合された光コネクタプラグとを確実に嵌合状態にすることができ、嵌合不良を防止することができる。
【００１１】
［本願発明の実施形態の詳細］
本発明の実施形態に係る光コネクタ用アダプタを、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００１２】
［第１の実施形態］
図１は、第１の実施形態に係る光コネクタ用アダプタの六面図であり、（ａ）は平面図、（ｂ）は底面図、（ｃ）は背面図、（ｄ）は左側面図、（ｅ）は右側面図、（ｆ）は正面図である。図２は、ＳＣ形光コネクタプラグの平面図である。図３は、図１の光コネクタ用アダプタに、図２のＳＣ形光コネクタプラグを係合した状態の図であり、（ａ）は平面図、（ｂ）は左側面図、（ｃ）は背面図である。
【００１３】
第１の実施形態に係る光コネクタ用アダプタ（以下、単にアダプタとも称する）１は、図１に示すように、ハウジング２と、爪部３と、係合溝４と、アダプタ係止部５と、開口部６ａ，６ｂと、嵌合部７ａ，７ｂと、フランジ8と、を備えている。
アダプタ１の本体部分は、略中央部にフランジ８を有する略角筒状のハウジング２となっている。そして、このフランジ８を挟んでハウジング２の軸方向（プラグ挿抜方向）両側に、開口部６ａ，６ｂを備えている。また、ハウジング２の軸方向の両側には、この開口部６ａ，６ｂから挿入されたＳＣ形光コネクタプラグ（以下、単にプラグとも称する）９を嵌合する嵌合部７ａ，７ｂを備えている。
【００１４】
一方の嵌合部７ａには、中央の係合溝３ａと両端部のスリット３ｂとの間に、爪部３が設けられている。この爪部３は、係合溝３ａ側およびスリット３ｂ側に弾性変形可能である。また、爪部３は、係合溝３ａに向かって突出する凸部３ｃを備えている。凸部３ｃは、その先端側（開口部６ａ側）がテーパ状に広がっており、後端側はハウジング２の軸方向に直交する方向に曲がっている。
【００１５】
他方の嵌合部７ｂの外側には、アダプタ係止部５と係合溝４が設けられている。係合溝４はＳＣ形光コネクタプラグ９の突起が嵌合可能である。アダプタ係止部５は、アダプタ１を例えば装置の筐体側面に固定する際に、フランジ８との間で筐体を挟んで係止するために用いられる。なお、アダプタ１を筐体に固定する場合は、開口部６ｂが装置内部に向くように固定する。これにより、嵌合部７ｂは装置内部のＳＣ形の配線プラグ等と嵌合可能となり、嵌合部７ａは装置の外側から図２に示すようなプラグ９が嵌合可能となる。
【００１６】
図２に示すプラグ９は、通常のＳＣ形光コネクタプラグであり、その中央部付近に突起１０を備えている。そして、突起１０の後端（プラグ９挿入方向の後端）１０ａは、挿抜の前後方向に対して直交する向きの平面状に形成されている。
【００１７】
次に、図３を参照しつつ、アダプタ１とプラグ９との嵌合状態について説明する。図３は、アダプタ１にプラグ９を嵌合した状態の説明図である。
開口部６ａから嵌合部７ａにプラグ９を挿入して、突起１０が爪部３の凸部３ｃに当接すると、爪部３は両側のスリット３ｂ側に弾性変形して突起１０を通過させる。そして、突起１０が凸部３ｃを乗り越えると、爪部３は弾性の反力で中央の係合溝３ａ側に戻り、図３に示すように、中央の係合溝３ａに入った突起１０の後端１０ａが凸部３ｃで係止される。
また、アダプタ１からプラグ９を抜去する場合は、抜去用の治具等を使用して爪部３を強制的に両側のスリット３ｂ側に弾性変形させてプラグ９を引き抜く。これにより、突起１０が凸部３ｃを乗り越えてプラグ９がアダプタ１から抜去される。
【００１８】
以上のように、第１の実施形態に係るアダプタ１は、通常のＳＣ形光コネクタプラグであるプラグ９と嵌合部７ａで嵌合できるアダプタであり、開口部６ａからプラグ９を挿入した場合、図３に示す状態で突起１０の後端１０ａが凸部３ｃで係止される。また、抜去の際には抜去用の治具等を使用する必要があり、プラグ９を不注意に引っ張った場合でも、プラグ９は簡単に抜けることはない。すなわち、別部材を用いることなく不注意による誤抜去を防止できるので、余分なコストや別部材の装着作業などを必要としない。また、アダプタ１とプラグ９とを確実に嵌合状態にすることができ、嵌合不良を防止することができる。このアダプタ１は、例えば装置の筐体に固定し、装置の外側から嵌合部７ａに対してプラグ９を挿抜する用途に対して有用である。また、このプラグ９は、通常のＳＣ形光コネクタプラグであるので、アダプタ１は汎用性においても優れている。
【００１９】
［第２の実施形態］
次に、本発明の第２の実施形態に係る光コネクタ用アダプタを説明する。
図４は、第２の実施形態に係る光コネクタ用アダプタ（以下、単にアダプタとも称する）１１の六面図であり、（ａ）は平面図、（ｂ）は底面図、（ｃ）は背面図、（ｄ）は左側面図、（ｅ）は右側面図、（ｆ）は正面図である。図５は、図４のアダプタ１１に２つのプラグ９を嵌合した状態の平面図である。
【００２０】
アダプタ１１は、図４に示すように、ハウジング２と、爪部３１，３２と、係合溝４と、アダプタ係止部５と、開口部６ａ，６ｂと、嵌合部７ａ，７ｂと、フランジ８と、を備えている。
第２の実施形態に係るアダプタ１１と第１の実施形態に係るアダプタ１との相違点は、爪部３１，３２が、ハウジング２の軸方向両側の嵌合部７ａ，７ｂにそれぞれ設けられている点であり、その他の箇所は、第１の実施形態と同じ符号を付して、その説明は省略する。
【００２１】
一方の嵌合部７ａには、中央の係合溝３１ａと両端部のスリット３１ｂとの間に、爪部３１が設けられている。この爪部３１は、係合溝３１ａ側およびスリット３１ｂ側に弾性変形可能である。そして爪部３１は、係合溝３１ａに向かって突出する凸部３１ｃを備えている。また、他方の嵌合部７ｂにも上記一方の嵌合部７ａと同様に、凸部３２ｃを備えた爪部３２と、係合溝３２ａと、スリット３２ｂと、が設けられている。
【００２２】
次に、図５を参照しつつ、アダプタ１１とプラグ９との嵌合状態について説明する。図５は、両側の嵌合部７ａ，７ｂにそれぞれプラグ９を嵌合した状態の説明図である。
アダプタ１１の一方の開口部６ａから嵌合部７ａにプラグ９を挿入して、突起１０が爪部３１の凸部３１ｃに当接すると、爪部３１は両側のスリット３１ｂ側に弾性変形して突起１０を通過させる。そして、突起１０が凸部３１ｃを乗り越えると、爪部３１は弾性の反力で中央の係合溝３１ａ側に戻り、中央の係合溝３１ａに入った突起１０の後端１０ａが凸部３１ｃで係止される。
また、アダプタ１１の一方の開口部６ａからプラグ９を抜去する場合は、抜去用の治具等を使用して爪部３１を強制的に両側のスリット３１ｂ側に弾性変形させてプラグ９を引き抜く。これにより、突起１０が凸部３１ｃを乗り越えてプラグ９がアダプタ１から抜去される。
なお、他方の開口部６ｂから嵌合部７ｂにプラグ９を挿抜する場合も、上述の一方の開口部６ａ側から挿抜する場合と同様である。
【００２３】
以上のように、第２の実施形態に係るアダプタ１１は、一方の開口部６ａから嵌合部７ａにプラグ９を挿入した場合、図５に示す状態で突起１０の後端１０ａが凸部３１ｃで係止する。また、他方の開口部６ｂから嵌合部７ｂにプラグ９を挿入する場合も同様に、突起１０の後端１０ａが凸部３２ｃで係止する。また、抜去の際には抜去用の治具等を使用する必要があり、プラグ９を不注意に引っ張った場合でも、プラグ９は簡単に抜けることはない。
これにより、アダプタ１１は、両側の嵌合部７ａ，７ｂにそれぞれプラグ９を嵌合して、接続されたプラグ９に対して、別部材を用いることなく、それぞれ不注意による誤抜去を防止できる。
また、アダプタ１１とプラグ９とを確実に嵌合状態にすることができ、嵌合不良を防止することができる。また、このプラグ９は、通常のＳＣ形光コネクタプラグであるので、アダプタ１１は汎用性においても優れている。
すなわち、軸方向両側からそれぞれプラグ９の挿抜作業が容易である場合に、この第２の実施形態に係るアダプタ１１が有用である。
【００２４】
なお、上記第１の実施形態および第２の実施形態において、アダプタ係止部５は、嵌合部７ａ側若しくは両側に設けられていてもよいし、全く設けられていなくてもよい。
【符号の説明】
【００２５】
１、１１  アダプタ（光コネクタ用アダプタ）
２  ハウジング
３、３１、３２  爪部
３ａ、３１ａ、３２ａ  係合溝
３ｂ、３１ｂ、３２ｂ  スリット
３ｃ、３１ｃ、３２ｃ  凸部
４  係合溝
５  アダプタ係止部
６ａ，６ｂ  開口部
７ａ，７ｂ  嵌合部
８  フランジ
９  プラグ（ＳＣ形光コネクタプラグ）
１０  突起
１０ａ  後端
【図１】
2015022222.tif 000003
【図２】
2015022222.tif 000004
【図３】
2015022222.tif 000005
【図４】
2015022222.tif 000006
【図５】
2015022222.tif 000007